(57)【要約】【課題】  経時変化等が生じても色調整を自動で行う。【解決手段】  画像を印字する手段と、前記画像を印字する手段が印字中に、印字済みの画像を自動的に読み込む手段と、前記印字する手段が印字する画像データと前記画像を読み込む手段が読み込んだ画像データを比較する手段と、前記比較結果に基づいて、色調整行う手段から構成される。【選択図】  図１
2006157782.tif 000002
【特許請求の範囲】
【請求項１】
画像を印字する手段と、前記画像を印字する手段が印字中に、印字済みの画像を自動的に読み込む手段と、前記印字する手段が印字する画像データと前記画像を読み込む手段が読み込んだ画像データを比較する手段と、前記比較結果に基づいて、色調整する手段から構成されることを特徴とする画像処理装置。
【請求項２】
画像を印字する手段と、前記画像を印字する手段が１ライン印字後に、印字された１ラインの印字画像を自動的に読み込む手段と、前記印字する手段が印字する画像データと前記画像を読み込む手段が読み込んだ画像データを比較する手段と、前記比較結果に基づいて、次の１ラインを印字する場合に、色調整する手段から構成されることを特徴とする画像処理装置。
【請求項３】
画像を印字する手段と、前記画像を印字する手段が１ページ印字中又は、印字終了後、１ページ分の前記印字画像を自動的に読み込む手段と、前記印字する手段が印字する１ページ分の画像データと前記画像を読み込む手段が読み込んだ１ページ分の画像データを比較する手段と、前記比較結果に基づいて色調整を行う手段から構成されることを特徴とする画像処理装置。
【発明の詳細な説明】
【技術分野】
【０００１】
本発明は、プリンタ装置の印字画像の色調整に関するものである。
【背景技術】
【０００２】
印字条件を最適化するために特定の印字パターンをプリンタで印字し、該印字出力用紙をイメージスキャナにセットして読み込み、読み込んだ画像データと印字データを比較し、該比較結果により、プリンタの最適な印字条件からの変化を検知することで、経時変化によってプリンタの印字品位が劣化しても調整できるものが考案されている（例えば、特許文献１参照。）。
【特許文献１】特開２００１−２９２３３１号公報
【発明の開示】
【発明が解決しようとする課題】
【０００３】
しかしながら、調整する場合に、特定の印字パターンを印字し、それをイメージスキャナで読み取らなければならず、手間がかかるという問題が有った。又、調整しても環境の変化等で、再度調整しないと、印字品位が悪くなるという問題が有った。
【課題を解決するための手段】
【０００４】
上記問題に鑑みて、本発明は、画像を印字する手段と、前記画像を印字する手段が印字中に、印字済みの画像を自動的に読み込む手段と、前記印字する手段が印字する画像データと前記画像を読み込む手段が読み込んだ画像データを比較する手段と、前記比較結果に基づいて、色調整する手段から構成されることを特徴とする。
【発明の効果】
【０００５】
本発明によれば、印字中に印字済みの画像を読み込んで、印字する画像データと印字された画像をイメージスキャナ等で読み込んだ画像データとを比較することによって、色調整が自動的に出来るので、色調整を行う作業がいらず、経時変化や環境変化が生じても、常に最適な色で印字出来るという効果を有する。
【発明を実施するための最良の形態】
【０００６】
（第１の実施例）
図１は、本発明の第１の実施例のブロック図である。１は読み取り画像の色変換に使用されるＬＵＴ（ルックアップテーブル）である読み取り画像色変換ＬＵＴで、２は読み取り画像データを記憶するところの読み取り画像データ記憶部で、３は印字画像データを記憶するところの印字画像データ記憶部で、４は読み取り画像を色変換するところの読み取り画像色変換部で、５は色調整用のＬＵＴを作成するところの色調整ＬＵＴ作成部で、６は色調整するところの色調整部で、７は色調整に使用されるＬＵＴの色調整ＬＵＴで、８は印字画像の色変換を行うところの印字画像色変換部で、９は印字画像の色変換に使用される印字画像色変換ＬＵＴで、１０は読み込まれた画像データをＡ／Ｄ変換するところのＡ／Ｄ変換部で、１１は読み込まれた画像データを記憶するところのＲＧＢ画像バッファで、１２はＲＧＢデータをＣＭＹＫデータに変換するところのＲＧＢ→ＣＭＹＫ変換部で、１３はＲＧＢ→ＣＭＹＫ変換で使用されるＬＵＴのＲＧＢ→ＣＭＹＫ変換ＬＵＴで、１４は画像を読み込むところの画像読み取り部で、１５は印字するところの印字部で、１６は印字データのＣＭＹＫデータが記憶されるところのＣＭＹＫバッファである。
【０００７】
次に図１の動作説明を行う。印字画像データ記憶部３に記憶された印字画像データを印字する場合を説明する。図示されていないが、印字画像データは、通常ＵＳＢ等で接続されたパーソナルコンピュータから送られてくる。画像データは、１ライン毎に処理される。印字画像データ記憶部３に記憶された印字画像データは、１ライン分色調整部６に入力され、色調整ＬＵＴ７を使用して色調整がなされる。色調整ＬＵＴの作成方法については、後述する。最初の１ラインを印字するときは、前回印字したときの最後のラインを印字するときに使用された色調整ＬＵＴが、使用される。色調整部６で色調整がなされた印字画像データは、印字画像色変換部８に入力され、印字画像色変換ＬＵＴ９を使用して色変換がなされる。ここで、印字デバイスに最適されたＲＧＢデータに変換される。次に色変換がなされた画像データは、ＲＧＢ→ＣＭＹＫ変換部１２に入力されて、ＲＧＢ→ＣＭＹＫ変換ＬＵＴ１３を使用して、ＣＭＹＫ信号に変換されて、ＣＭＹＫバッファ１６に入力されて保持される。ＣＭＹＫバッファ１６に１ライン分のデータが溜まると、印字部１５は印字を開始し、１ライン分印字を行う。１ライン分の印字を終了すると１ライン幅だけ紙送りがなされる。紙送りが終了すると、印字部１５は画像読み取り部１４に読み取り開始を支持する。読み取り開始指示を受けると画像読み取り部１４は、画像読み取りを開始する。図２は、印字ヘッドの移動部と画像読み取り部であるラインイメージセンサーの位置関係を示した図で、印字部が１ライン印字を終了して紙送りがなされると、ラインイメージセンサーがその１ライン分の印字データを直ちに読み取る。画像読み取り部１４で読み取られた１ライン分の画像データは、アナログのＲＧＢ信号であるので、Ａ／Ｄ変換部１０でデジタル信号に変換された後、ＲＧＢ画像バッファ１１に記憶される。ＲＧＢ画像バッファ１１に記憶された画像データは、読み取り画像色変換部４において読み取り画像色変換ＬＵＴ１を用いて、色変換が行われ、読み取り画像データ記憶部２に記憶される。ここで、画像読み取り部１４に起因する色特性が排除される。１ライン分の画像データが読み取り画像データ記憶部に記憶されると、読み取り画像データ記憶部２に記憶された１ライン分の画像データと、印字画像データ記憶部３に記憶された１ライン分の画像データが、色調整ＬＵＴ作成部５に取り込まれて比較され、その差が色調整ＬＵＴ７として作成される。従って、次の１ラインを印字する場合は、色調整部６において、色調整ＬＵＴ７を使用して色調整され、印字画像データより読み取った画像データの色値が大きい場合は、印字画像データの色値が下がる方向に、印字画像データより読み取った画像データの色値が小さい場合は、印字画像データの色値が上がる方向に、調整される。以上の処理を繰り返して１ページ分印字が行われる。
【０００８】
（第２の実施例）
第２の実施例のブロック図は、第１の実施例のブロック図と同じなので、省略し、動作説明を図１を用いて行う。
【０００９】
印字画像データ記憶部３に記憶された印字画像データを印字する場合を説明する。図示されていないが、印字画像データは、通常ＵＳＢ等で接続されたパーソナルコンピュータから送られてくる。画像データは、１ページ毎に処理される。印字画像データ記憶部３に記憶された印字画像データは、１ページ分色調整部６に入力され、色調整ＬＵＴ７を使用して色調整がなされる。色調整ＬＵＴの作成方法については、後述する。最初の１ページを印字するときは、前回印字したときに使用された色調整ＬＵＴが、使用される。色調整部６で色調整がなされた印字画像データは、印字画像色変換部８に入力され、印字画像色変換ＬＵＴ９を使用して色変換がなされる。ここで、印字デバイスに最適化されたＲＧＢデータに変換される。次に色変換がなされた画像データは、ＲＧＢ→ＣＭＹＫ変換部１２に入力されて、ＲＧＢ→ＣＭＹＫ変換ＬＵＴ１３を使用して、ＣＭＹＫ信号に変換されて、ＣＭＹＫバッファ１６に入力されて保持される。ＣＭＹＫバッファ１６に１ライン分のデータが溜まると、印字部１５は印字を開始し、１ライン分印字を行う。１ライン分の印字を終了すると１ライン幅だけ紙送りがなされる。ＣＭＹＫバッファ１６に次の１ライン分のデータが溜まると、同様に印字部１５は印字を開始し、１ライン分印字を行う。１ライン分の印字を終了すると１ライン幅だけ紙送りがなされる。これを繰り返して１ページ分の画像データが印字される。図３は、印字ヘッドの移動部と画像読み取り部であるラインイメージセンサーの位置関係を示した図で、印字ヘッドの移動部と画像読み取り部であるラインイメージセンサー間はＮラインに設定されている。Ｎライン紙送り終了後、印字部１５は画像読み取り部１４に読み取り開始を支持する。読み取り開始指示を受けると画像読み取り部１４は、画像読み取りを開始する。画像読み取り部１４で読み取られた１ライン分の画像データは、アナログのＲＧＢ信号であるので、Ａ／Ｄ変換部１０でデジタル信号に変換された後、ＲＧＢ画像バッファ１１に記憶される。ＲＧＢ画像バッファ１１に記憶された画像データは、読み取り画像色変換部４において読み取り画像色変換ＬＵＴ１を用いて、色変換が行われ、読み取り画像データ記憶部２に記憶される。ここで、画像読み取り部１４に起因する色特性が排除される。１ライン分の画像データが読み取り画像データ記憶部に記憶される。次のラインも同様に処理されて、１ページ分画像データを読み込む。読み取り画像データ記憶部２に記憶された１ページ分の画像データと、印字画像データ記憶部３に記憶された１ページ分の画像データが、色調整ＬＵＴ作成部５に取り込まれて比較され、その差が色調整ＬＵＴ７として作成される。色調整ＬＵＴ７の作成が終了すると、印字画像データ記憶部３に記憶された前回印字したものと同じ印字データを同様な処理を行い印字する。ただし、前回と違って最適な色調整ＬＵＴが作成されているので、最適な色調整がなされ印字される。
【図面の簡単な説明】
【００１０】
【図１】第１の実施例のブロック図。
【図２】第１の実施例のデバイス配置図。
【図３】第２の実施例のデバイス配置図。
【符号の説明】
【００１１】
１  読み取り画像色変換ＬＵＴ
２  読み取り画像データ記憶部
３  印字画像データ記憶部
４  読み取り画像色変換部
５  色調整ＬＵＴ作成部
６  色調整部
７  色調整ＬＵＴ
８  印字画像色変換部
９  印字画像色変換ＬＵＴ
１０  Ａ／Ｄ変換部
１１  ＲＧＢ画像バッファ
１２  ＲＧＢ→ＣＭＹＫ変換部
１３  ＲＧＢ→ＣＭＹＫ変換ＬＵＴ
１４  画像読み取り部
１５  印字部
１６  ＣＭＹＫバッファ
【図１】
2006157782.tif 000003
【図２】
2006157782.tif 000004
【図３】
2006157782.tif 000005